(57)【要約】【課題】育毛作用を促進させる効果が高く、かつ育毛部の動作状態を使用者に適切に認識させることができる育毛用光照射装置を提供する。【解決手段】育毛用光照射装置１は、電源部３０、駆動部４０、育毛部６０、および報知部７０を有する。報知部７０は、待機報知部７１および駆動報知部７２を有する。駆動部４０は、育毛部６０に照射駆動信号を出力することにより、育毛部６０に育毛作用光を出力させる。駆動部４０は、電源部３０から駆動部４０に電力が供給されているとき、かつ育毛部６０に照射駆動信号を出力していないとき、待機報知部７１に待機報知信号を出力する。育毛部６０は、育毛作用光として近赤外光を出力する。待機報知部７１は、待機報知信号に基づいて待機報知動作を行う。【選択図】図３
2014161517.tif 000002
【特許請求の範囲】
【請求項１】
育毛用光照射装置であって、
前記育毛用光照射装置は、電源部、駆動部、育毛部、および報知部を有し、
前記駆動部は、前記育毛部に照射駆動信号を出力することにより前記育毛部に育毛作用光を出力させ、前記電源部から前記駆動部に電力が供給されているとき、かつ前記育毛部に前記照射駆動信号を出力していないとき、前記報知部に待機報知信号を出力し、
前記育毛部は、前記育毛作用光として近赤外光を出力し、
前記報知部は、前記待機報知信号に基づいて待機報知動作を行う
育毛用光照射装置。
【請求項２】
前記育毛用光照射装置は、装着部および検知部を有し、
前記装着部は、育毛対象部位への装着が可能な構造を有し、
前記育毛部は、前記装着部と結合され、
前記検知部は、前記装着部が前記育毛対象部位に装着されているとき、装着検知信号を前記駆動部に出力し、
前記駆動部は、前記装着検知信号に基づいて前記育毛部に前記照射駆動信号を出力し、前記装着検知信号に基づいて前記報知部に駆動報知信号を出力し、
前記報知部は、前記駆動報知信号に基づいて駆動報知動作を行う
請求項１に記載の育毛用光照射装置。
【発明の詳細な説明】
【技術分野】
【０００１】
本発明は、育毛用光照射装置に関する。
【背景技術】
【０００２】
特許文献１は、従来の育毛用光照射装置の一例を開示している。図４は、特許文献１の育毛用光照射装置９００を示している。育毛用光照射装置９００は、装着体９１０、出力コード９２０、電源アダプター９３０、複数のＬＥＤ９４０、および制御部９５０を有する。装着体９１０は、フレーム９１１、耳当て部９１２、およびホルダー９１３を有する。フレーム９１１は、耳当て部９１２およびホルダー９１３を保持している。ホルダー９１３は、複数のＬＥＤ９４０を保持している。出力コード９２０は、装着体９１０と制御部９５０とを互いに接続している。電源アダプター９３０は、制御部９５０に電力を供給する。ＬＥＤは、育毛作用を促進させるための可視光を出力する。
【０００３】
制御部９５０は、表示パネル９５１を有する。表示パネル９５１は、操作スイッチ類、表示ランプ類、コネクタ類、および電源スイッチ（いずれも図示略）を有する。操作スイッチ類は、ＬＥＤ９４０から出力される光の輝度を変更するためのスイッチを含む。表示ランプ類は、ＬＥＤ９４０から出力される光の輝度を報知するための３つのＬＥＤを含む。制御部９５０は、スイッチの操作に応じて、ＬＥＤ９４０から出力される光の輝度、および３つのＬＥＤの動作を変化させる。
【先行技術文献】
【特許文献】
【０００４】
【特許文献１】ＷＯ２００４／０２６４００
【発明の概要】
【発明が解決しようとする課題】
【０００５】
本願発明者は、育毛用光照射装置９００が次の課題を含むことを見出した。
本願発明者は、可視光よりも近赤外光のほうが育毛作用を促進させる効果が高いことを実験等により確認した。このため、育毛用光照射装置９００は、育毛作用を促進させる効果をより高めることが可能な点において改善の余地を有する。一方、近赤外光は、使用者が視認することが難しい。このため、近赤外光を照射することを想定していない育毛用光照射装置９００は、近赤外光を照射する構造が取り入れられたと仮定した場合、次の問題を生じる。なお、以下の説明は、このように仮定した育毛用光照射装置９００を「仮想光照射装置」と記述する。
【０００６】
育毛用光照射装置９００の使用者は、可視光を視認することができないとき、ＬＥＤ９４０が光を出力していないと判断することができる。一方、仮想光照射装置の使用者は、ＬＥＤ９４０が光を出力していないことを目視により判断することができない。このため、使用者は、ＬＥＤ９４０が光を出力している状態、およびＬＥＤ９４０が光を出力していない状態を混同するおそれがある。
【０００７】
本発明は、以上の背景をもとに創作されたものであり、育毛作用を促進させる効果が高く、かつ育毛部の動作状態を使用者に適切に認識させることができる育毛用光照射装置を提供することを目的とする。
【課題を解決するための手段】
【０００８】
（１）本育毛用光照射装置の一形態は、次の事項を有する。前記育毛用光照射装置は、電源部、駆動部、育毛部、および報知部を有し、前記駆動部は、前記育毛部に照射駆動信号を出力することにより前記育毛部に育毛作用光を出力させ、前記電源部から前記駆動部に電力が供給されているとき、かつ前記育毛部に前記照射駆動信号を出力していないとき、前記報知部に待機報知信号を出力し、前記育毛部は、前記育毛作用光として近赤外光を出力し、前記報知部は、前記待機報知信号に基づいて待機報知動作を行う。
【０００９】
（２）上記毛用光照射装置の一形態は、次の事項を有する。前記育毛用光照射装置は、装着部および検知部を有し、前記装着部は、育毛対象部位への装着が可能な構造を有し、前記育毛部は、前記装着部と結合され、前記検知部は、前記装着部が前記育毛対象部位に装着されているとき、装着検知信号を前記駆動部に出力し、前記駆動部は、前記装着検知信号に基づいて前記育毛部に前記照射駆動信号を出力し、前記装着検知信号に基づいて前記報知部に駆動報知信号を出力し、前記報知部は、前記駆動報知信号に基づいて駆動報知動作を行う。
【００１０】
本育毛用光照射装置は、以下の作用および効果を奏する。
育毛部は、育毛作用光として近赤外光を出力する。このため、育毛部が可視光を出力すると仮定した構成と比較して、育毛作用を促進させる効果が高くなる。駆動部は、電源部から駆動部に電力が供給されているとき、かつ育毛部に照射駆動信号を出力していないとき、報知部に待機報知信号を出力する。このため、報知部は、電源部から駆動部に電力が供給されているとき、かつ育毛部が育毛作用光を出力していないとき、待機報知動作を行う。このため、使用者は、電源部から駆動部に電力が供給されているとき、かつ育毛部が育毛作用光を出力していないとき、育毛部が育毛作用光を出力していないことを待機報知動作により認識することができる。このため、育毛部が育毛作用光を出力している状態、および育毛部が育毛作用光を出力していない状態を使用者が混同するおそれが低くなる。このように、本育毛用光照射装置は、育毛作用を促進させる効果が高く、かつ育毛部の動作状態を使用者に適切に認識させることができる。
【００１１】
なお、本育毛用光照射装置の報知部は、一例として、次の構成を含む。報知部は、育毛部が育毛作用光を出力しているとき、報知動作を行わない。一方、頭皮の温度は、育毛作用光が照射されることにより上昇する。このため、育毛部から出力された育毛作用光が頭皮に照射されているとき、使用者は、育毛部が動作していることを頭皮の温度に基づいて判断することができる。このため、育毛部が育毛作用光を出力しているときに報知部が報知動作を行わない動作形態は、育毛部が駆動しているか否かを使用者が混同するおそれを生じにくい。
【発明の効果】
【００１２】
本育毛用光照射装置は、育毛作用を促進させる効果が高く、かつ育毛部の動作状態を使用者に適切に認識させることができる。
【図面の簡単な説明】
【００１３】
【図１】第１実施形態の育毛用光照射装置の構成図。
【図２】第１実施形態の育毛部の構成図。
【図３】第１実施形態の育毛用光照射装置のブロック図。
【図４】従来の育毛用光照射装置の構成図。
【発明を実施するための形態】
【００１４】
（第１実施形態）
育毛用光照射装置１は、一例として、図１に示される構造を有する。育毛用光照射装置１は、一例として、育毛対象部位としての頭部に装着される。育毛用光照射装置１は、育毛対象部位に装着されているとき、育毛対象部位に育毛作用光を照射することができる。育毛用光照射装置１は、機能部１０および装着部８０を有する。
【００１５】
機能部１０および装着部８０は、一例として、図２に示される構造を有する。機能部１０は、筐体２０および複数の機能ブロックを有する。複数の機能ブロックは、育毛部６０および報知部７０を含む。
【００１６】
筐体２０は、一例として、樹脂材料により形成されている。筐体２０は、開口部２１、対向面２２、および周囲面２３を有する。対向面２２は、筐体２０において育毛対象部位と対向する面を形成している。周囲面２３は、対向面２２と連続する筐体２０の外周面を形成している。開口部２１は、対向面２２において開口している。
【００１７】
育毛部６０は、一例として、複数のＬＥＤランプを有する。図２の白い丸は、育毛部６０のＬＥＤランプを示している。育毛部６０のＬＥＤランプは、筐体２０の開口部２１に配置されている。育毛部６０は、育毛対象部位の育毛作用を促進させることに貢献する育毛作用光を出力する。育毛部６０は、育毛作用光として近赤外光を出力する。
【００１８】
報知部７０は、待機報知部７１および駆動報知部７２（図１参照）を有する。報知部７０は、機能部１０が電源オンの状態を形成しているとき、かつ育毛部６０から育毛作用光が出力されていないとき、待機報知部７１の動作により機能部１０が電源オンの状態を形成していることを報知する。報知部７０は、機能部１０が電源オンの状態を形成しているとき、かつ育毛部６０から育毛作用光が出力されているとき、駆動報知部７２の動作により育毛部６０が育毛作用光を出力していることを報知する。
【００１９】
待機報知部７１は、一例として、複数のＬＥＤランプを有する。図２のドット入りの丸は、待機報知部７１のＬＥＤランプを示している。待機報知部７１のＬＥＤランプは、筐体２０の開口部２１に配置されている。待機報知部７１のＬＥＤランプは、育毛部６０のＬＥＤランプと交互に配置されている。待機報知部７１は、可視光を出力する。待機報知部７１は、一例として、暖色系の可視光を出力する。
【００２０】
駆動報知部７２は、一例として、１つのＬＥＤランプを有する（図１参照）。駆動報知部７２は、筐体２０の内部に配置されている。駆動報知部７２のＬＥＤランプは、筐体２０の周囲面２３において外部に露出している。駆動報知部７２は、可視光を出力する。
【００２１】
検知部５０は、一例として、スイッチの形態を有する。検知部５０は、筐体２０の対向面２２から育毛対象部位側に突出している。検知部５０は、筐体２０に対して押込方向および突出方向に移動することができる。検知部５０は、押込方向に作用する力が加えられていないとき、筐体２０に対して最も突出した初期位置を有する。検知部５０は、押込方向に作用する力が加えられたとき、筐体２０に対して初期位置から押込方向に移動する。検知部５０は、初期位置からの移動量が基準移動量以上のとき、装着検知信号ＳＦを駆動部４０に出力する。検知部５０は、装着部８０が育毛対象部位に装着されているとき、育毛対象部位との接触により押込方向に作用する力が加えられる。
【００２２】
装着部８０は、一例として、樹脂材料により形成されている。装着部８０は、可撓性を有する。装着部８０は、筐体２０の周囲面２３において筐体２０と結合されている。装着部８０は、育毛対象部位への装着が可能な構造を有する。
【００２３】
育毛用光照射装置１は、図３に示される機能ブロック構造を有する。育毛用光照射装置１の複数の機能ブロックは、電源部３０、駆動部４０、育毛部６０、検知部５０、および報知部７０を含む。各機能ブロックは、筐体２０の内部に配置されている。
【００２４】
電源部３０は、一例として、１次電池または２次電池の電力を駆動部４０に供給する。電源部３０は、機能部１０の電源スイッチ（図示略）がオンに設定されているとき、駆動部４０および検知部５０に電力を供給する。電源部３０は、機能部１０の電源スイッチがオフに設定されているとき、駆動部４０および検知部５０に電力を供給しない。
【００２５】
駆動部４０は、電源部３０から電力が供給されているとき、電源オンの状態を形成する。駆動部４０は、電源部３０から電力が供給されていないとき、電源オフの状態を形成する。駆動部４０は、電源オンの状態を形成しているとき、駆動部４０に対する各種の信号の入力形態に基づいて、各種の信号の出力形態を制御する。
【００２６】
駆動部４０は、検知部５０から装着検知信号ＳＦを受信しているとき、装着検知信号ＳＦに基づいて、育毛部６０に照射駆動信号ＳＤを出力する。照射駆動信号ＳＤは、育毛部６０に育毛作用光を出力させるための情報を含む。育毛部６０は、駆動部４０から受信した照射駆動信号ＳＤに基づいて、育毛作用光を出力する。
【００２７】
駆動部４０は、検知部５０から装着検知信号ＳＦを受信していないとき、育毛部６０に照射駆動信号ＳＤを出力しない。育毛部６０は、駆動部４０から照射駆動信号ＳＤを受信していないとき、育毛作用光を出力しない。
【００２８】
駆動部４０は、検知部５０から装着検知信号ＳＦを受信しているとき、装着検知信号ＳＦに基づいて、駆動報知部７２に駆動報知信号ＳＸを出力する。駆動報知信号ＳＸは、駆動報知部７２に駆動報知動作を実行させるための情報を含む。駆動報知部７２は、駆動部４０から受信した駆動報知信号ＳＸに基づいて、駆動報知動作を実行する。駆動報知部７２は、駆動報知動作として、ＬＥＤランプを連続的に点灯する。
【００２９】
駆動部４０は、検知部５０から装着検知信号ＳＦを受信していないとき、駆動報知部７２に駆動報知信号ＳＸを出力しない。駆動報知部７２は、駆動部４０から駆動報知信号ＳＸを受信していないとき、駆動報知動作を実行しない。
【００３０】
駆動部４０は、育毛部６０に照射駆動信号ＳＤを出力していないとき、待機報知部７１に待機報知信号ＳＷを出力する。すなわち、駆動部４０は、検知部５０から装着検知信号ＳＦを受信していないとき、待機報知部７１に待機報知信号ＳＷを出力する。待機報知信号ＳＷは、待機報知部７１に待機報知動作を実行させるための情報を含む。待機報知部７１は、駆動部４０から受信した待機報知信号ＳＷに基づいて、待機報知動作を実行する。待機報知部７１は、待機報知動作として、複数のＬＥＤランプを連続的に点灯する。
【００３１】
駆動部４０は、育毛部６０に照射駆動信号ＳＤを出力しているとき、待機報知部７１に待機報知信号ＳＷを出力しない。すなわち、駆動部４０は、検知部５０から装着検知信号ＳＦを受信しているとき、待機報知部７１に待機報知信号ＳＷを出力しない。待機報知部７１は、駆動部４０から待機報知信号ＳＷを受信していないとき、待機報知動作を実行しない。
【００３２】
育毛用光照射装置１は、次の作用および効果を奏する。
（１）育毛部６０は、育毛作用光として近赤外光を出力する。このため、育毛部６０が可視光を出力すると仮定した構成と比較して、育毛作用を促進させる効果が高くなる。一方、使用者は、育毛部６０が可視光を出力すると仮定した構成と比較して、育毛部６０が育毛作用光を出力していることを視認しにくい。
【００３３】
駆動部４０は、電源部３０から駆動部４０に電力が供給されているとき、かつ育毛部６０に照射駆動信号ＳＤを出力していないとき、待機報知部７１に待機報知信号ＳＷを出力する。すなわち、駆動部４０は、電源オンの状態を形成し、育毛部６０が育毛作用光を出力していないとき、待機報知部７１のＬＥＤランプを点灯させる。
【００３４】
このため、使用者は、電源部３０から駆動部４０に電力が供給されているとき、かつ育毛部６０が育毛作用光を出力していないとき、育毛部６０が育毛作用光を出力していないことを待機報知動作により認識することができる。このため、育毛部６０が育毛作用光を出力している状態、および育毛部６０が育毛作用光を出力していない状態を使用者が混同するおそれが低くなる。
【００３５】
駆動部４０は、電源部３０から駆動部４０に電力が供給されているとき、かつ育毛部６０に照射駆動信号ＳＤを出力しているとき、駆動報知部７２に駆動報知信号ＳＸを出力する。すなわち、駆動部４０は、電源オンの状態を形成し、育毛部６０が育毛作用光を出力しているとき、駆動報知部７２のＬＥＤランプを点灯させる。
【００３６】
このため、使用者は、電源部３０から駆動部４０に電力が供給されているとき、かつ育毛部６０が育毛作用光を出力しているとき、育毛部６０が育毛作用光を出力していることを駆動報知動作により認識することができる。このため、育毛部６０が育毛作用光を出力している状態、および育毛部６０が育毛作用光を出力していない状態を使用者が混同するおそれが一層低くなる。
【００３７】
このように、育毛用光照射装置１は、育毛作用を促進させる効果が高く、かつ育毛部６０の動作状態を使用者に適切に認識させることができる。このため、使用者の利便性が高められる。
【００３８】
（２）駆動部４０は、装着検知信号ＳＦを受信しているとき、待機報知部７１の待機報知動作を停止する。すなわち、駆動部４０は、育毛用光照射装置１が育毛対象部位に装着されているとき、待機報知部７１に電力を供給しない。このため、駆動部４０が装着検知信号ＳＦを受信しているときに待機報知部７１の待機報知動作が行われると仮定した構成と比較して、電力の消費量が少なくなる。
【００３９】
（３）駆動報知部７２は、筐体２０の周囲面２３において露出するＬＥＤランプを有する。このため、使用者の周囲に位置する第３者は、駆動報知部７２の駆動報知動作を容易に視認することができる。このため、使用者の周囲に位置する第３者は、使用者が育毛用光照射装置１を装着した状態において、育毛部６０が育毛作用光を出力していないとき、機能部１０の電源スイッチをオンにするきっかけが得られやすい。
【００４０】
（第２実施形態）
第２実施形態の育毛用光照射装置１は、複数の構成要素を有する。第２実施形態の複数の構成要素は、第１実施形態の育毛用光照射装置１が有する複数の構成要素と同様または類似の構造および機能を有する。第２実施形態の育毛用光照射装置１の説明は、第１実施形態の構成要素と同様または類似の構造および機能を有する第２実施形態の構成要素の説明の一部または全部を省略する。第２実施形態の育毛用光照射装置１の説明は、第１実施形態の構成要素と同様または類似の構造および機能を有する第２実施形態の構成要素の少なくとも一部に対して、第１実施形態の構成要素と同一の符号を付している。
【００４１】
第２実施形態の育毛用光照射装置１は、以下の点において第１実施形態の育毛用光照射装置１と相違し、その他の点において第１実施形態の育毛用光照射装置１と同じ構成を有する。第１実施形態の駆動部４０は、育毛部６０が育毛作用光を出力しているとき、待機報知部７１の待機報知動作を停止させ、駆動報知部７２に駆動報知動作を実行させる。
【００４２】
第２実施形態の駆動部４０は、通常報知モードおよび報知停止モードを有する。駆動部４０は、一例として、機能部１０の選択スイッチ（図示略）の操作位置に基づいて、通常報知モードまたは報知停止モードを選択する。
【００４３】
通常報知モードは、育毛部６０が育毛作用光を出力しているとき、待機報知部７１の待機報知動作を停止させ、駆動報知部７２に駆動報知動作を実行させる。報知停止モードは、育毛部６０が育毛作用光を出力しているとき、待機報知部７１の待機報知動作を停止させ、駆動報知部７２の駆動報知動作を停止させる。すなわち、報知部７０は、報知停止モードにおいて育毛部６０が育毛作用光を出力しているとき、待機報知動作および駆動報知動作を行わない。
【００４４】
第２実施形態の育毛用光照射装置１は、第１実施形態の育毛用光照射装置１が奏する（１）〜（３）の効果に準じた効果を奏する。すなわち、育毛作用を促進させる効果が高く、かつ育毛部６０の動作状態を使用者に適切に認識させることができる旨の効果、およびその他の種々の効果を奏する。また、第２実施形態の育毛用光照射装置１は、以下の効果を奏する。
【００４５】
（４）頭皮の温度は、育毛作用光が照射されることにより上昇する。このため、育毛部６０から出力された育毛作用光が頭皮に照射されているとき、使用者は、育毛部６０が動作していることを頭皮の温度に基づいて判断することができる。このため、育毛部６０が育毛作用光を出力しているときに報知部７０が報知動作を行わない動作形態は、すなわち報知停止モードは、育毛部６０が駆動しているか否かを使用者が混同するおそれを生じにくい。このため、報知停止モードは、育毛部６０の動作状態を使用者に適切に認識させ、電力の消費量を低減することに貢献する。
【００４６】
（その他の実施形態）
本光照射装置は、第１実施形態および第２実施形態とは異なるその他の実施形態を含む。その他の実施形態は、一例として、以下に示される第１実施形態および第２実施形態の変形例を含む。なお、以下の各変形例は、技術的に矛盾しない範囲において互いに組み合わせることができる。
【００４７】
・第１実施形態の育毛用光照射装置１は、機能部１０を有する。ただし、育毛用光照射装置１の構造は、第１実施形態に例示された内容に限られない。変形例の育毛用光照射装置１は、機能部１０に代えて変形機能部を有する。変形機能部は、機能部１０と同様または類似の機能を有し、機能部１０と異なる構造を有する。なお、第２実施形態の育毛用光照射装置１においても同様の変形が成立する。
【００４８】
・第１実施形態の育毛用光照射装置１は、筐体２０を有する。ただし、育毛用光照射装置１の構造は、第１実施形態に例示された内容に限られない。変形例の育毛用光照射装置１は、筐体２０に代えて変形筐体を有する。変形筐体は、筐体２０と同様または類似の機能を有し、筐体２０と異なる構造を有する。なお、第２実施形態の育毛用光照射装置１においても同様の変形が成立する。
【００４９】
・第１実施形態の育毛用光照射装置１は、検知部５０を有する。ただし、育毛用光照射装置１の構造は、第１実施形態に例示された内容に限られない。変形例の育毛用光照射装置１は、検知部５０に代えて変形検知部を有する。変形検知部は、検知部５０と同様または類似の機能を有し、検知部５０と異なる構造を有する。なお、第２実施形態の育毛用光照射装置１においても同様の変形が成立する。
【００５０】
・第１実施形態の育毛用光照射装置１は、育毛部６０を有する。ただし、育毛用光照射装置１の構造は、第１実施形態に例示された内容に限られない。変形例の育毛用光照射装置１は、育毛部６０に代えて変形育毛部を有する。変形育毛部は、育毛部６０と同様または類似の機能を有し、育毛部６０と異なる構造を有する。なお、第２実施形態の育毛用光照射装置１においても同様の変形が成立する。
【００５１】
・第１実施形態の育毛用光照射装置１は、報知部７０を有する。ただし、育毛用光照射装置１の構造は、第１実施形態に例示された内容に限られない。変形例の育毛用光照射装置１は、報知部７０に代えて変形報知部を有する。変形報知部は、報知部７０と同様または類似の機能を有し、報知部７０と異なる構造を有する。なお、第２実施形態の育毛用光照射装置１においても同様の変形が成立する。
【００５２】
・第１実施形態の育毛用光照射装置１は、装着部８０を有する。ただし、育毛用光照射装置１の構造は、第１実施形態に例示された内容に限られない。変形例の育毛用光照射装置１は、装着部８０に代えて変形装着部を有する。変形装着部は、装着部８０と同様または類似の機能を有し、装着部８０と異なる構造を有する。なお、第２実施形態の育毛用光照射装置１においても同様の変形が成立する。
【００５３】
・第１実施形態の電源部３０は、１次電池または２次電池の電力を駆動部４０および検知部５０に供給する。ただし、電源部３０の構成は、第１実施形態に例示された内容に限られない。変形例の電源部は、商用交流電源から供給された交流電力を直流電力に変換し、直流電力を駆動部４０および検知部５０に供給する。
【００５４】
・第１実施形態の待機報知部７１は、筐体２０の開口部２１に配置されている。ただし、待機報知部７１の構造は、第１実施形態に例示された内容に限られない。変形例の待機報知部７１は、筐体２０の周囲面２３において外部に露出する位置に配置される。なお、第２実施形態の待機報知部においても同様の変形が成立する。
【００５５】
・第１実施形態の待機報知部７１は、可視光を出力する。ただし、待機報知部７１の構造は、第１実施形態に例示された内容に限られない。変形例の待機報知部は、音、音声、振動、および画像の少なくとも１つを出力する。別の変形例の待機報知部は、可視光、音、音声、振動、および画像の少なくとも２つを出力する。なお、第２実施形態の待機報知部７１においても同様の変形が成立する。
【００５６】
・第１実施形態の報知部７０は、待機報知部７１および駆動報知部７２を有する。ただし、報知部７０の構成は、第１実施形態に例示された内容に限られない。変形例の報知部は、待機報知部７１および駆動報知部７２に代えて、統合報知部を有する。統合報知部は、待機報知部７１としての機能および駆動報知部７２としての機能を有する。統合報知部は、待機報知信号ＳＷに基づいて待機報知動作を行う。統合報知部は、駆動報知信号ＳＸに基づいて駆動報知動作を行う。統合報知部は、一例において、待機報知動作の光の出力形態および駆動報知動作の光の出力形態として、互いに同じ出力形態を有する。統合報知部は、別の一例において、待機報知動作の光の出力形態および駆動報知動作の光の出力形態として、互いに異なる出力形態を有する。なお、第２実施形態の育毛用光照射装置１においても同様の変形が成立する。
【００５７】
・第１実施形態の育毛用光照射装置１は、装着部８０が育毛対象部位に装着される装着型形態を有する。ただし、育毛用光照射装置１の構造は、第１実施形態に例示された内容に限られない。変形例の育毛用光照射装置１は、装着型形態に代えて、把持型形態または据置型形態を有する。把持型の育毛用光照射装置は、装着部８０に代えて把持部を有する。把持部は、使用者が手に持つことが可能な構造を有する。把持部は、筐体２０と結合している。据置型の育毛用光照射装置は、装着部８０に代えて据置部を有する。据置部は、床または机等の設置箇所に置くことが可能な構造を有する。据置部は、筐体２０と結合している。なお、第２実施形態の育毛用光照射装置１においても同様の変形が成立する。
【００５８】
（課題を解決するための手段に関する付記）
課題を解決するための手段は、下記の［付記項１］〜［付記項４］を含む。なお、［付記項１］〜［付記項４］が有する事項は、実施形態において開示された事項と対応している。
【００５９】
［付記項１］
付記項１の育毛用光照射装置は、請求項２に記載の育毛用光照射装置において、次の事項を有する。前記育毛部は、育毛用光源部品を有する。前記報知部は、駆動報知部および待機動報知部を有する。前記駆動部は、前記装着検知信号に基づいて、前記駆動報知部に前記駆動報知信号を出力する。前記駆動部は、前記電源部から前記駆動部に電力が供給されているとき、かつ前記育毛部に前記照射駆動信号を出力していないとき、前記待機報知部に待機報知信号を出力する。前記駆動報知部は、前記駆動報知信号に基づいて前記駆動報知動作を行う。前記待機報知部は、前記待機報知信号に基づいて前記待機報知動作を行う。
【００６０】
［付記項２］
付記項２の育毛用光照射装置は、付記項１の育毛用光照射装置において、次の事項を有する。前記待機報知部は、待機報知用光源部品を有する。前記待機報知用光源部品は、前記育毛用光源部品に並べて配置され、可視光を出力する。
【００６１】
［付記項３］
付記項３の育毛用光照射装置は、付記項２の育毛用光照射装置において、次の事項を有する。前記待機報知用光源部品は、６００ｎｍ〜８００ｎｍの波長範囲にピークを有する可視光を出力する。
【００６２】
［付記項４］
付記項４の育毛用光照射装置は、請求項２または付記項１〜３のいずれか一項に記載の育毛用光照射装置において、次の事項を有する。前記駆動報知部は、駆動報知用光源部品を有する。前記駆動報知用光源部品は、前記装着部の外面に取り付けられ、可視光を出力する。
【符号の説明】
【００６３】
１…育毛用光照射装置
１０…機能部
２０…筐体、２１…開口部、２２…対向面、２３…周囲面
３０…電源部
４０…駆動部
５０…検知部
６０…育毛部
７０…報知部、７１…待機報知部、７２…駆動報知部
８０…装着部
ＳＦ…装着検知信号、ＳＤ…照射駆動信号、ＳＷ…待機報知信号、ＳＸ…駆動報知信号
【図１】
2014161517.tif 000003
【図２】
2014161517.tif 000004
【図３】
2014161517.tif 000005
【図４】
2014161517.tif 000006